(57)【要約】      （修正有）【課題】金属製のキャップとリングを用いることによって、岩や硬い地面に当たったり落としたり或いは乱暴に扱ったりしても壊れにくい頑丈な餌まき容器を実現した。また、まき餌容器の下端に装着されるオモリはワンタッチの脱着手段によって交換可能になり、１つの餌まき容器で多様多種の異なる重さのオモリをいつでも簡単に交換できる。【解決手段】餌まき容器は円筒状からなり、該容器の外筒１と内筒は各々の正面に各々のまき餌充填窓２５を有し、上記内筒を外筒１の下端から挿入し、両筒のまき餌充填窓２５の重ねた位置にて嵌め合せた状態で結合した結合手段１２，１３を具備し、この結合手段によって上記両筒が固定される。【選択図】図２
0003134362.tif 000002
【実用新案登録請求の範囲】
【請求項１】
円筒状からなるまき餌の充填と散布用餌まき容器であり、該餌まき容器には外筒１と内筒２を有し両筒の正面に各々のまき餌充填窓２５を有し、上記内筒２を外筒１の下端から挿入し両筒のまき餌充填窓２５の重ねた位置にて嵌め合せた状態で結合した結合手段（図５、雄・雌ロック１２，１３）を具備しており、また上記外筒１の下端に餌放出調整リング７の装着によって上記外筒１と内筒２とリング７と３つの部材の補強手段１９，２６，２１，２７（図４）によって上記両筒の結合が一段補強され、また上記外筒１の頂端に海水流入孔１０を有する壁面を有し他方反対側の下端に餌放出孔２３を有し、該餌まき容器にまき餌を充填してから外筒１に装備してある扉６でまき餌充填窓２５を閉じから再び該容器を海に投入し海中にて上下方向に上記容器をしゃくると海水が上記海水流入孔１０から容器内に流れ込み中のまき餌と一緒に上記まき餌放出孔２３から海中に放出され、またまき餌の放出量を制御するのに上記外筒１の頂部に孔を持つ調整キャップ４を装着し任意左右周方向に上記キャップ４を回すことによって海水流入孔１０の開閉度合いを調整し海水の流れる量を制御することによってまき餌の放出量を制御する手段と、上記リング７を外筒１の任意左右周方向に回すことによって上記まき餌放出孔２３の開閉度合いが調整可能になりまき餌の放出量を制御する手段と、上記キャップ４と上記外筒１とはキャップ止め５、つめ５ａ、固定部位５ｂ、ネジ２０（図５）とで形成されたロック手段と、を具備することを特徴とする餌まき容器。
【請求項２】
上記餌まき容器のキャップ４とリング７とは金属材料を用いることによって該餌まき容器の壁面強度が補強され耐衝撃また耐引張強度にも補強され壊れにくくなることを特徴とする請求項１に記載の餌まき容器。
【請求項３】
上記餌まき容器の下端にオモリ３を容易に取り替えられるためにオモリワンタッチロック３１とガイド３２（図７）のワンタッチ脱着手段を有することを特徴とする請求項１と２のいずれに記載の餌まき容器。
【請求項４】
上記餌まき容器には金属製のキャップ４とリング７を用いることによって下端のオモリ３の軽量化が可能になり、その軽量した分でオモリ３の内部に貫通パース３０が設けられオモリ３の下端までに延長しまき餌放出口２９（図８）を設けることが可能になることを特徴とする請求項１から３までのいずれかに記載の餌まき容器。
【考案の詳細な説明】
【考案の詳細な説明】
【考案が解決しようとする課題】
【０００１】  従来の餌まき容器本体はプラスチックス製のため脆くて耐衝撃性に弱く、岩や地面などの硬いところに当たったり落としたりすると割れて壊れてしまい使えなくなることがよく起きる。また、海釣りに際し、せっかく苦労して集めた海中の魚が他のところに逃げさせないように、上記容器内のまき餌を放出してしまうと直ちに該容器を海中から引きあげて、再びまき餌を充填してから海中に投入するとこの一連の餌補給作業が素早く行わなければならない。その作業中、該容器を強く握りたり或いは落としたりして該容器を壊してしまうことがしばしば起きる。予備の餌まき容器を持っていなければせっかくの釣りもむなしくできなくなる。更に上記容器の下端に海中にて該容器の沈むスピードを決めるオモリ３が固定で装着されて取替えなどはできないので釣りのアクションを変えることができない。また、容器サイズの規制があるためまき餌の放出口の数とサイズと位置とが限定されるのでまき餌がよく放出口にて詰まって餌の出具合が悪く魚は集まらない。
【考案が解決するための手段】
【０００２】  本考案によれば上記餌まき容器には、部分的に金属性部材を用いることによって、例えば金属製のキャップ４と金属製のリング７、プラスチック製容器の壁面が補強されて耐衝撃性が増して脆くて割れ易かった容器本体が一段と補強されたことと、上記容器の下端に装着されるオモリ３はワンタッチの脱着手段によって交換可能になり、異なる重さのオモリ３を簡単に交換できてさまざまなアクションの釣りを楽しめられることと、更に内部貫通パースを有するオモリ３を用いることによってまき餌放出口が増して放出口にての餌つまりが解消されることと上記の特徴を有する餌まき容器の提供によって上記の課題を解決する。
【実施例１】
【０００３】  図１と図２に示すように、本考案の餌まき容器は円筒状からなり、該容器の外筒１と内筒２は各々の正面に各々のまき餌充填窓２５を有し、上記内筒２を外筒１の下端から挿入し、両筒のまき餌充填窓２５の重ねた位置にて嵌め合せた状態で結合した結合手段（図５の雄・雌ロック１２，１３）を具備し、この結合手段によって上記両筒が固定される。更に上記外筒１の下端にリング７を装着することによって、図４に示すように上記外筒１と内筒２とリング７と３つの部材の持つ補強手段１９，２６，２１，２７の構成で上記両筒の結合が一段と補強されてとっても頑丈な餌まき容器を作る。【０００４】  上記外筒１の頂端に海水流入孔１０を持つ壁面を有し、一方反対の下端にまき餌放出孔２３を有する。また上記外筒１にはまき餌充填窓２５を閉じるための扉６を具備しており、まき餌を上記容器に充填したら扉を閉じて再び該容器を海中に投入する。上記容器を海中にて上下方向にしゃくると海水が上記海水流入孔１０から容器内に流れ込み、該容器内のまき餌を運んで上記まき餌放出孔２３から海中に放出する構造で構成されている。【０００５】  まき餌の放出量を制御するには、上記外筒１の頂部に孔を有するキャップ４が装着され、任意左右周方向に該キャップ４を回して海水流入孔１０の開閉度合いを制御することによって容器内に流れ込む海水量を制御しまき餌放出量を制御する手段と、他方上記外筒１の下端に装着されたリング７を任意左右周方向に回し上記まき餌放出孔２３の開閉度合いを制御しまき餌放出量を制御する手段とでまき餌放出量を制御する。【０００６】  上記容器のキャップ４とリング７は、それぞれ金属製のキャップとリングを用いることによって脆くて壊れやすい上記容器本体が補強されると同時に容器の下端にあるオモリ３の軽量化が実現可能になる。図８に示すように軽量化のオモリ３には貫通パース（３０）と新たなまき餌放出口２９が設ける。【０００７】  図５に示すように、外筒１とキャップ４の固定手段としては、キャップ止め５とキャップ爪５ａとキャップ爪の固定部位５ｂとキャップ固定ネジ２０と２重固定の構造で構成されている。図１０に示すように、キャップ爪５ａはθの角度を有し斜めの設計になっており、この角度によってキャップ止め５は外筒１とキャップ４をしっかりと固定する。また、キャップ止め５には回転部品９が一体化に成形されることによって該容器は水中にて任意方向に回転可能になる。
【実施例２】
【０００８】  図６、図７は本考案の第２実施の構成に係るオモリ３のワンタッチ脱着手段を示す図である。オモリ３にはオモリワンタッチロック３１が埋め込まれる形で上記オモリ３と一体化に形成される。図７に示すように、上記オモリ３を内筒２の下端のガイド３２に沿って挿入し、更にガイド３２に沿ってエンド位置まで回して上記オモリ３がロックされる（ＩＩ）。また、上記オモリ３を逆方向に回せば該オモリ３を簡単に外す（Ｉ、開錠）ことになる。
【考案の効果】
【０００８】  本考案によれば上記餌まき容器には、金属製のキャップ４と金属製のリング７を用いることによって餌まき容器の壁面が補強され、耐衝撃性が増して脆くて壊れやすかった上記容器の本体が一段と補強され、岩や硬い地面に当たったり落としたり或いは乱暴に扱ったりしても壊れにくい頑丈な餌まき容器を実現した。また上記まき餌容器の下端に装着されるオモリ３はワンタッチの脱着手段によって交換可能になり、１つの餌まき容器で多様多種の異なる重さのオモリ３をいつでも簡単に交換できるので、さまざまな異なるアクションの釣りを可能にした。更に、内部パース３０と餌放出口２９を有するオモリ３を用いることによってまき餌の放出口を増やすことが可能になり、放出口にての餌つまりが解消された。上記の特徴を有する餌まき容器の提供によって上述の課題を解決し、より楽しい釣りができた。
【図面の簡単な説明】
【０００９】
【図１】は、本考案の餌まき容器一実施例を示す正面図である。
【図２】は、図３の垂直Ａ−Ａ断面図である。内部パースを有するオモリの実施例の餌まき容器である。
【図３】は、図１の上から見る平面図である。
【図４】は、図３のＣ−Ｃ断面図である。
【図５】は、図３のＢ−Ｂ断面図である。
【図６】は、図７のＥ−Ｅ断面図である。
【図７】は、本考案のオモリのワンタッチ脱着手段を示す略図である。
【図８】は、本考案の内部貫通パースを有するオモリの正面断面図である。
【図９】は、図８の真上から見た内部貫通パースを有するオモリの図である。
【図１０】は、本考案のキャップ止め５の斜視図である。
【図１１】は、本考案の一実施例を示す斜視図である。
【図１２】は、本考案の餌まき容器を水中にてしゃくる時の様子を示す図。
【符号の説明】
【００１０】  １  外筒、２  内筒、３  オモリ、４  調整キャップ、５  キャップ止め、５ａ  キャップ止め爪，５ｂ  キャップ止め爪の固定部位、６  扉、７  餌放出調整リング、８  オモリ固定ネジ、９  回転部品、１０  外筒海水流入孔、１１  キャップの海水流入孔、１２  外筒固定凹部／雌ロック、１３  内筒固定凸部／雄ロック、１４ａ、１４ｂ  扉止め、１５ａ，１５ｂ  扉引っ掛け、１６  扉の取っ手、１７  外筒背壁孔、１８  内筒背壁孔、１９  調整リング凸部、２０  キャップ固定ネジ、２１  リング保持爪、２２  扉のロック孔、２３  外筒の餌放出孔、２４  リング開孔、２５  まき餌充填窓、２６  １９のガイド、２７  ２１のガイド、２８  オモリ開孔、２９  オモリの餌放出口、３０  オモリ内部貫通パース、３１  オモリのワンタッチロック、３２  オモリのワンタッチロックガイド
【図１】
0003134362.tif 000003
【図２】
0003134362.tif 000004
【図３】
0003134362.tif 000005
【図４】
0003134362.tif 000006
【図５】
0003134362.tif 000007
【図６】
0003134362.tif 000008
【図７】
0003134362.tif 000009
【図８】
0003134362.tif 000010
【図９】
0003134362.tif 000011
【図１０】
0003134362.tif 000012
【図１１】
0003134362.tif 000013
【図１２】
0003134362.tif 000014
【手続補正書】
【提出日】平成19年4月13日(2007.4.13)
【手続補正１】
【補正対象書類名】実用新案登録請求の範囲
【補正対象項目名】請求項１
【補正方法】変更
【補正の内容】
【請求項１】
円筒状からなるまき餌の充填と散布用餌まき容器であり、該餌まき容器には外筒１と内筒２を有し両筒の正面に各々のまき餌充填窓２５を有し、上記内筒２を外筒１の下端から挿入し両筒のまき餌充填窓２５の重ねた位置にて嵌め合せた状態で結合した雄・雌ロック１２，１３を具備しており、また上記外筒１の下端に餌放出調整リング７の装着によって上記外筒１と内筒２とリング７と３つの部材の補強手段１９，２６，２１，２７によって上記両筒の結合が一段補強され、また上記外筒１の頂端に海水流入孔１０を有する壁面を有し他方反対側の下端に餌放出孔２３を有し、該餌まき容器にまき餌を充填してから外筒１に装備してある扉６でまき餌充填窓２５を閉じてから再び該容器を海に投入し海中にて上下方向に上記容器をしゃくると海水が上記海水流入孔１０から容器内に流れ込み中のまき餌と一緒に上記まき餌放出孔２３から海中に放出され、またまき餌の放出量を制御するのに上記外筒１の頂部に孔を持つ調整キャップ４を装着し任意左右周方向に上記キャップ４を回すことによって海水流入孔１０の開閉度合いを調整し海水の流れる量を制御することによってまき餌の放出量を制御する手段と、上記リング７を外筒１の任意左右周方向に回すことによって上記まき餌放出孔２３の開閉度合いが調整可能になりまき餌の放出量を制御する手段と、上記キャップ４と上記外筒１とはキャップ止め５、つめ５ａ、固定部位５ｂ、ネジ２０とで形成されたロック手段と、を具備することを特徴とする餌まき容器。
【手続補正２】
【補正対象書類名】実用新案登録請求の範囲
【補正対象項目名】請求項３
【補正方法】変更
【補正の内容】
【請求項３】
上記餌まき容器の下端にオモリ３を容易に取り替えられるためにオモリワンタッチロック３１とガイド３２のワンタッチ脱着手段を有することを特徴とする請求項１と２のいずれに記載の餌まき容器。
【手続補正３】
【補正対象書類名】実用新案登録請求の範囲
【補正対象項目名】請求項４
【補正方法】変更
【補正の内容】
【請求項４】
上記餌まき容器には金属製のキャップ４とリング７を用いることによって下端のオモリ３の軽量化が可能になり、その軽量した分でオモリ３の内部に貫通パース３０が設けられオモリ３の下端までに延長しまき餌放出口２９を設けることが可能になることを特徴とする請求項１から３までのいずれかに記載の餌まき容器。